(57)【要約】【課題】電波の通信品質が最良の無線機とヒューマンインタフェース機器とを近距離無線通信によって自動的に接続することができる無線通信装置を提供する。【解決手段】制御部１１は、通信品質比較部として、ヒューマンインタフェース機器（スピーカマイクロホン６）とペアリングしている特定の無線機における第１の通信品質情報と、他の無線機における第２の通信品質情報とを比較する。制御部１１（または２１，３１）は、ペアリング切断制御部として、第１の通信品質情報が示す通信品質が閾値未満であり、第２の通信品質情報が示す通信品質が第１の通信品質情報が示す通信品質よりも良好であると判定されたとき、特定の無線機とヒューマンインタフェース機器とのペアリングを切断するよう制御する。制御部１１（または２１，３１）は、ペアリング接続制御部として、他の無線機をヒューマンインタフェース機器とペアリングさせるよう制御する。【選択図】図１
2017011477.tif 000002
【特許請求の範囲】
【請求項１】
信号を送受信する電波の周波数帯と通信方式との少なくとも一方が異なる複数の無線機を備え、
前記複数の無線機は、それぞれ、ヒューマンインタフェース機器とペアリングして近距離無線通信するための近距離無線通信部を有し、
前記ヒューマンインタフェース機器とペアリングしている特定の無線機が前記電波によって信号を受信するときの第１の通信品質情報と、他の無線機が前記電波によって信号を受信するときの第２の通信品質情報とを比較する通信品質比較部と、
前記通信品質比較部によって、前記第１の通信品質情報が示す通信品質が所定の閾値未満であり、前記第２の通信品質情報が示す通信品質が前記第１の通信品質情報が示す通信品質よりも良好であると判定されたとき、前記特定の無線機と前記ヒューマンインタフェース機器とのペアリングを切断するよう制御するペアリング切断制御部と、
前記他の無線機を前記ヒューマンインタフェース機器とペアリングさせるよう制御するペアリング接続制御部と、
を備えることを特徴とする無線通信装置。
【請求項２】
前記複数の無線機は、前記通信品質比較部を有するマスタの無線機と、前記マスタの無線機によって制御されるスレーブの無線機とを含み、
前記マスタの無線機及び前記スレーブの無線機は、それぞれ、前記ペアリング切断制御部を備え、
前記マスタの無線機は、前記スレーブの無線機が前記特定の無線機である状態で、前記通信品質比較部によって、前記第１の通信品質情報が示す通信品質が所定の閾値未満であり、前記第２の通信品質情報が示す通信品質が前記第１の通信品質情報が示す通信品質よりも良好であると判定されたとき、前記スレーブの無線機に対して、前記ヒューマンインタフェース機器とのペアリングを切断するよう指示するペアリング切断指示部をさらに備え、
前記スレーブの無線機が備える前記ペアリング切断制御部は、前記ペアリング切断指示部による指示に応答して、前記スレーブの無線機と前記ヒューマンインタフェース機器とのペアリングを切断するよう制御する
ことを特徴とする請求項１記載の無線通信装置。
【請求項３】
前記マスタの無線機及び前記スレーブの無線機は、それぞれ、前記ペアリング接続制御部を備え、
前記マスタの無線機は、前記スレーブの無線機を前記他の無線機として前記ヒューマンインタフェース機器とペアリングさせるとき、前記スレーブの無線機に対して、前記ヒューマンインタフェース機器とペアリングするよう指示するペアリング接続指示部をさらに備え、
前記スレーブの無線機が備える前記ペアリング接続制御部は、前記ペアリング接続指示部よる指示に応答して、前記スレーブの無線機を前記ヒューマンインタフェース機器とペアリングさせるよう制御する
ことを特徴とする請求項２記載の無線通信装置。
【請求項４】
信号を送受信する電波の周波数帯と通信方式との少なくとも一方が異なる複数の無線機を備える無線通信装置の制御方法であり、
ヒューマンインタフェース機器と近距離無線通信するためにペアリングしている特定の無線機が前記電波によって信号を受信するときの第１の通信品質情報が示す通信品質が所定の閾値未満であるか否かを判定し、
前記第１の通信品質情報が示す通信品質と、他の無線機が前記電波によって信号を受信するときの第２の通信品質情報が示す通信品質とを比較し、
前記第１の通信品質情報が示す通信品質が前記閾値未満であり、前記第２の通信品質情報が示す通信品質が前記第１の通信品質情報が示す通信品質よりも良好であると判定されたとき、前記特定の無線機と前記ヒューマンインタフェース機器とのペアリングを切断し、
前記他の無線機を前記ヒューマンインタフェース機器とペアリングさせるよう制御する
ことを特徴とする無線通信装置の制御方法。
【発明の詳細な説明】
【技術分野】
【０００１】
本発明は、複数の周波数帯または複数の通信方式に対応する複数の無線機を備える無線通信装置及び無線通信装置の制御方法に関する。
【背景技術】
【０００２】
デュアルバンドまたはマルチバンドと称される互いに異なる複数の周波数帯を用いて無線通信する複数の無線機を備える無線通信装置がある。無線通信装置が、複数の通信方式を用いて無線通信する複数の無線機を備えることもある。無線機に、例えばスピーカやマイクロホン等のヒューマンインタフェース機器を接続することがある。
【０００３】
近年、近接して用いる２つの電子機器を有線のケーブルではなく近距離無線通信によって接続して、２つの電子機器を連携して動作させることが行われている。無線機及びヒューマンインタフェース機器においても、両者を近距離無線通信によって接続して連携して動作させることがある。
【先行技術文献】
【特許文献】
【０００４】
【特許文献１】特開２０１４−８２５８７号公報
【発明の概要】
【発明が解決しようとする課題】
【０００５】
無線通信装置が複数の無線機を備える場合、ヒューマンインタフェース機器が近距離無線通信によって接続することができる無線機は、複数の無線機のうちの１つのみである場合がある。即ち、複数の無線機とヒューマンインタフェース機器とは同時に接続できないのが一般的である。
【０００６】
ヒューマンインタフェース機器と接続されている無線機が受信する電波の通信品質が悪化して、他の周波数帯の無線機の方が電波の通信品質が良好である場合がある。ヒューマンインタフェース機器を複数の無線機のうち電波の通信品質が最良の無線機と接続して使用したいという要望があっても、従来においては、複数の無線機のうちのどの無線機の電波の通信品質が最良であるかを自動的に把握することができない。よって、従来においては、電波の通信品質を手動で確認しなければならない。
【０００７】
また、ヒューマンインタフェース機器と接続されている無線機を他の無線機へと切り替えたとする。この場合、他の無線機とヒューマンインタフェース機器とを近距離無線通信によって接続し直さなければならない。従来においては、手動で接続し直す必要がある。
【０００８】
本発明は、複数の無線機のうち電波の通信品質が最良の無線機とヒューマンインタフェース機器とを近距離無線通信によって自動的に接続することができる無線通信装置及び無線通信装置の制御方法を提供することを目的とする。
【課題を解決するための手段】
【０００９】
本発明は、上述した従来の技術の課題を解決するため、信号を送受信する電波の周波数帯と通信方式との少なくとも一方が異なる複数の無線機を備え、前記複数の無線機は、それぞれ、ヒューマンインタフェース機器とペアリングして近距離無線通信するための近距離無線通信部を有し、前記ヒューマンインタフェース機器とペアリングしている特定の無線機が前記電波によって信号を受信するときの第１の通信品質情報と、他の無線機が前記電波によって信号を受信するときの第２の通信品質情報とを比較する通信品質比較部と、前記通信品質比較部によって、前記第１の通信品質情報が示す通信品質が所定の閾値未満であり、前記第２の通信品質情報が示す通信品質が前記第１の通信品質情報が示す通信品質よりも良好であると判定されたとき、前記特定の無線機と前記ヒューマンインタフェース機器とのペアリングを切断するよう制御するペアリング切断制御部と、前記他の無線機を前記ヒューマンインタフェース機器とペアリングさせるよう制御するペアリング接続制御部とを備えることを特徴とする無線通信装置を提供する。
【００１０】
また、本発明は、上述した従来の技術の課題を解決するため、信号を送受信する電波の周波数帯と通信方式との少なくとも一方が異なる複数の無線機を備える無線通信装置の制御方法であり、ヒューマンインタフェース機器と近距離無線通信するためにペアリングしている特定の無線機が前記電波によって信号を受信するときの第１の通信品質情報が示す通信品質が所定の閾値未満であるか否かを判定し、前記第１の通信品質情報が示す通信品質と、他の無線機が前記電波によって信号を受信するときの第２の通信品質情報が示す通信品質とを比較し、前記第１の通信品質情報が示す通信品質が前記閾値未満であり、前記第２の通信品質情報が示す通信品質が前記第１の通信品質情報が示す通信品質よりも良好であると判定されたとき、前記特定の無線機と前記ヒューマンインタフェース機器とのペアリングを切断し、前記他の無線機を前記ヒューマンインタフェース機器とペアリングさせるよう制御することを特徴とする無線通信装置の制御方法を提供する。
【発明の効果】
【００１１】
本発明の無線通信装置及び無線通信装置の制御方法によれば、複数の無線機のうち電波の通信品質が最良の無線機とヒューマンインタフェース機器とを近距離無線通信によって自動的に接続することができる。
【図面の簡単な説明】
【００１２】
【図１】一実施形態の無線通信装置を示すブロック図である。
【図２Ａ】一実施形態の無線通信装置が実行する処理の例の一部を説明するためのフローチャートである。
【図２Ｂ】一実施形態の無線通信装置が実行する処理の例の他の一部を説明するためのフローチャートである。
【図３】一実施形態の無線通信装置における各無線機の制御部の機能的な構成例を示すブロック図である。
【発明を実施するための形態】
【００１３】
以下、一実施形態の無線通信装置及び無線通信装置の制御方法について、添付図面を参照して説明する。
【００１４】
図１に示す一実施形態の無線通信装置は、互いに異なる複数の周波数帯に対応する無線機１〜３を備える。無線機１は、ＵＨＦ帯の電波を用いて音声信号等を送受信する無線機である。無線機２は、ＶＨＦ帯の電波を用いて音声信号等を送受信する無線機である。無線機３は、７００ＭＨｚまたは８００ＭＨｚ帯の電波を用いて音声信号等を送受信する無線機である。
【００１５】
無線通信装置は、互いに異なる複数の通信方式に対応する複数の無線機を備えていてもよい。通信方式が例えばアナログ方式とデジタル方式のように異なる場合には、用いる周波数帯は同じであってもよい。無線通信装置は、信号を送受信する電波の周波数帯と通信方式との組が同一ではない少なくとも２つの無線機を備えて構成されていればよい。
【００１６】
無線機１は、無線機１の全体を制御する制御部１１と、半二重通信方式によって他の無線機と音声信号等を送受信する無線送受信部１２と、後述するヒューマンインタフェース機器と近距離無線通信するための近距離無線通信部１３とを有する。
【００１７】
無線機２は、無線機２の全体を制御する制御部２１と、半二重通信方式によって他の無線機と音声信号等を送受信する無線送受信部２２と、ヒューマンインタフェース機器と近距離無線通信するための近距離無線通信部２３とを有する。
【００１８】
無線機３は、無線機３の全体を制御する制御部３１と、半二重通信方式によって他の無線機と音声信号等を送受信する無線送受信部３２と、ヒューマンインタフェース機器と近距離無線通信するための近距離無線通信部３３とを有する。
【００１９】
無線機１〜３と他の無線機とは、制御チャンネルと通信チャンネルとを用いるトランキング方式を用いて信号を送受信してもよいし、複数の周波数の通信チャンネルを用いるコンベンショナル方式を用いて信号を送受信してもよい。
【００２０】
図１に示す一実施形態の無線通信装置においては、無線機１はマスタの無線機として動作し、無線機２，３は、無線機１によって制御されるスレーブの無線機として動作するように設定されている。
【００２１】
以上のように構成された無線通信装置において、近距離無線通信部１３，２３，３３のいずれかは、ヒューマンインタフェース機器の一例として、スピーカマイクロホン６とペアリングされ、互いに近距離無線通信する。
【００２２】
スピーカマイクロホン６は、スピーカ６１と、マイクロホン６２と、近距離無線通信部６３とを有する。近距離無線通信とは、無線送受信部１２，２２，３２による広域の無線通信と比較して狭い通信エリアの通信であり、例えば数メートルから十数メートル程度の通信エリアの通信である。
【００２３】
近距離無線通信部１３，２３，３３及びスピーカマイクロホン６は、例えばブルートゥース（登録商標）等の任意の通信規格を用いて近距離無線通信する。
【００２４】
無線機１〜３は、インタフェースケーブル７によって、ヘッド部４，５と接続されている。ヘッド部４，５は、無線機１〜３の操作パネルであって、選択した無線機１〜３のいずれかを操作することができる。ヘッド部４，５は、それぞれ、スピーカ、チャンネル変更や音量調整を行う操作部、液晶パネル等の表示部を有する。無線機１〜３のいずれかで受信した音声信号をヘッド部４のスピーカで再生することができ、無線機１〜３のいずれかで受信した音声信号をヘッド部５のスピーカで再生することもできる。
【００２５】
図１においては、無線機１とスピーカマイクロホン６とがペアリングされており、無線機１で受信した音声信号をスピーカマイクロホン６のスピーカ６１で再生することも可能である。
【００２６】
ヘッド部４，５の操作部で無線機１〜３を操作することができ、無線機１〜３に関する情報をヘッド部４，５の表示部に表示することができる。なお、無線通信装置が２つのヘッド部４，５を備える構成は必須ではなく、１つのヘッド部を備える構成であってもよい。
【００２７】
図２Ａ，図２Ｂに示すフローチャートを用いて、一実施形態の無線通信装置が実行する処理の例を説明する。図２Ａ，図２Ｂに示すフローチャートは、一実施形態の無線通信装置の制御方法を示す。図２Ａ，図２Ｂは、マスタの無線機１における制御部１１が、無線機１〜３を制御する場合の処理を示している。
【００２８】
図２Ａにおいて、制御部１１は、ステップS101にて、他の無線機（ここでは無線機２，３）に対して、無線送受信部２２，３２が信号を受信するときのRSSI（Received Signal Strength Indication）レベルの送信を要求して受信する。RSSIレベルの送信の要求、及び、RSSIレベルの受信は、インタフェースケーブル７を介して行われる。
【００２９】
制御部１１は、ステップS102にて、自己の無線機（ここでは無線機１）のRSSIレベルが最も高いか否かを判定する。
【００３０】
トランキング方式の場合には、制御部１１は、他の無線機における制御チャンネルのRSSIレベルを受信し、自己の無線機における制御チャンネルのRSSIレベルを検出する。コンベンショナル方式の場合には、制御部１１は、他の無線機と自己の無線機それぞれにおける複数の周波数の通信チャンネルのRSSIレベルを平均値化するのがよい。
【００３１】
RSSIレベルが示す受信信号強度は、通信品質情報の一例である。制御部１１は、RSSIレベルの代わりに、無線機２，３に対して、受信する信号のビットエラーレートの送信を要求して受信し、ビットエラーレートを通信品質情報として通信品質を判定してもよい。
【００３２】
制御部１１は、無線機１のRSSIレベルが最も高ければ（YES）、処理をステップS103に移行させ、無線機１のRSSIレベルが最も高くなければ（NO）、処理をステップS108に移行させる。
【００３３】
制御部１１は、ステップS103にて、スピーカマイクロホン６とのペアリングを実行して、受信を待ち受ける。図１は、ステップS103による処理によって、無線機１とスピーカマイクロホン６とが近距離無線通信によって接続された状態を示している。
【００３４】
制御部１１は、ステップS104にて、無線機１のRSSIレベルが所定の閾値以上であるか否かを判定する。RSSIレベルが閾値以上であれば（YES）、制御部１１は、処理をステップS104に戻す。RSSIレベルが閾値以上でなければ（NO）、制御部１１は、ステップS105にて、他の無線機に対して、RSSIレベルの送信を要求して受信する。
【００３５】
ここで、所定の閾値は、例えば通信の了解度が悪化するRSSIレベルより例えば２０ｄＢ大きい値のように、通信断とならない値とすることが望ましい。
【００３６】
制御部１１は、ステップS106にて、自己のRSSIレベルを超え、かつRSSIレベルが閾値以上の他の無線機が存在するか否かを判定する。自己のRSSIレベルを超え、かつRSSIレベルが閾値以上の他の無線機が存在しなければ（NO）、制御部１１は、処理をステップS104に戻す。
【００３７】
ステップS104でRSSIレベルが閾値以上であると判定されてステップS104の処理を繰り返しているとき、マスタの無線機１とスピーカマイクロホン６とがペアリングされた状態が継続される。
【００３８】
また、ステップS106で自己のRSSIレベルを超え、かつRSSIレベルが閾値以上の他の無線機が存在しないと判定されて、ステップS104〜S106の処理を繰り返しているときも、マスタの無線機１とスピーカマイクロホン６とがペアリングされた状態が継続される。
【００３９】
ステップS106にて自己のRSSIレベルを超え、かつRSSIレベルが閾値以上の他の無線機が存在すれば（YES）、制御部１１は、ステップS107にて、スピーカマイクロホン６とのペアリングを切断する。これに引き続き、制御部１１は、ステップS108にて、RSSIレベルが最も高い他の無線機に対して、スピーカマイクロホン６とペアリングするよう指示して、処理を図２ＢのステップS109に移行させる。
【００４０】
スピーカマイクロホン６とのペアリングを指示された無線機は、スピーカマイクロホン６とのペアリングを実行する。これによって、スピーカマイクロホン６とのペアリングしている特定の無線機は、無線機１から無線機２または３へと切り替えられる。
【００４１】
図２Ｂにおいて、制御部１１は、ステップS109にて、他の無線機に対して、RSSIレベルの送信を要求して受信する。制御部１１は、ステップS110にて、スピーカマイクロホン６とペアリングした特定の無線機（無線機２または３）におけるRSSIレベルが閾値未満となったか否かを判定する。
【００４２】
特定の無線機におけるRSSIレベルが閾値未満でなければ（NO）、制御部１１は、処理をステップS109に戻す。特定の無線機におけるRSSIレベルが閾値未満であれば（YES）、制御部１１は、処理をステップS111に移行させる。
【００４３】
制御部１１は、ステップS111にて、自己の無線機（無線機１）のRSSIレベルが最も高く、かつRSSIレベルが閾値以上であるか否かを判定する。自己の無線機のRSSIレベルが最も高く、かつRSSIレベルが閾値以上であれば（YES）、制御部１１は、ステップS112にて、特定の無線機に対して、スピーカマイクロホン６とのペアリングを切断するよう指示して、処理を図２ＡのステップS103に移行させる。
【００４４】
スピーカマイクロホン６とのペアリングを切断するよう指示された無線機は、スピーカマイクロホン６とのペアリングを切断する。
【００４５】
自己の無線機のRSSIレベルが最も高く、かつRSSIレベルが閾値以上でなければ（NO）、制御部１１は、ステップS113にて、特定の無線機のRSSIレベルを超え、かつRSSIレベルが閾値以上の他の無線機が存在するか否かを判定する。特定の無線機のRSSIレベルを超え、かつRSSIレベルが閾値以上の他の無線機が存在しなければ（NO）、制御部１１は、処理をステップS109に戻す。
【００４６】
ステップS110でRSSIレベルが閾値以上であると判定されてステップS109，S110の処理を繰り返しているとき、無線機２または３とスピーカマイクロホン６とがペアリングされた状態が継続される。
【００４７】
また、ステップS113で特定のRSSIレベルを超え、かつRSSIレベルが閾値以上の他の無線機が存在しないと判定されて、ステップS109〜S113の処理を繰り返しているときも、無線機２または３とスピーカマイクロホン６とがペアリングされた状態が継続される。
【００４８】
ステップS113にて特定の無線機のRSSIレベルを超え、かつRSSIレベルが閾値以上の他の無線機が存在すれば（YES）、制御部１１は、ステップS114にて、特定の無線機に対して、スピーカマイクロホン６とのペアリングを切断するよう指示する。スピーカマイクロホン６とのペアリングを切断するよう指示された無線機は、スピーカマイクロホン６とのペアリングを切断する。
【００４９】
これに続き、制御部１１は、ステップS115にて、RSSIレベルが最も高い他の無線機に対して、スピーカマイクロホン６とペアリングするよう指示して、処理をステップS109に戻す。スピーカマイクロホン６とのペアリングを指示された無線機は、スピーカマイクロホン６とのペアリングを実行する。
【００５０】
ステップS109〜S115の処理によって、スレーブの無線機２，３のうち、通信品質がよりよい方の無線機と、スピーカマイクロホン６とがペアリングされて、近距離無線通信によって接続されることになる。
【００５１】
ところで、無線機１〜３は、通信が行われているチャンネルを探すチャンネルスキャン機能と称される既存の機能を搭載している。チャンネルスキャン機能は、連続してチャンネルをスキャンして、RSSIレベルやノイズスケルチレベルを基に、受信信号のあるチャンネル検出する機能である。
【００５２】
ステップS104，S110で用いる閾値は、チャンネルスキャン機能で用いる閾値よりも十分大きな値に設定することが好ましい。ステップS104，S110で用いる閾値を比較的大きな値に設定すると、ヒューマンインタフェース機器を複数の無線機のうち電波の通信品質が最良の無線機と接続して使用したいという要望を満たすことができる。
【００５３】
図３を用いて、図２Ａ，図２Ｂに示す処理を実現するための制御部１１，２１，３１の機能的な構成例を説明する。図３において、マスタの無線機１における制御部１１は、ペアリング接続制御部１１１と、ペアリング切断制御部１１２と、通信品質比較部１１３と、ペアリング接続指示部１１４と、ペアリング切断指示部１１５とを有する。
【００５４】
ペアリング接続制御部１１１〜ペアリング切断指示部１１５それぞれは、ソフトウェアモジュール（コンピュータプログラム）で構成することができる。
【００５５】
ペアリング接続制御部１１１は、無線機１をスピーカマイクロホン６とペアリングさせて両者を近距離無線通信によって接続するよう制御する。図２ＡのステップS103は、ペアリング接続制御部１１１によって実行される。
【００５６】
ペアリング切断制御部１１２は、無線機１をスピーカマイクロホン６とペアリングしているとき、ペアリングを切断するよう制御する。図２ＡのステップS107は、ペアリング切断制御部１１２によって実行される。
【００５７】
図２ＡのステップS108及び図２ＢのステップS115は、ペアリング接続指示部１１４によって実行される。図２ＢのステップS112，S114は、ペアリング切断指示部１１５によって実行される。
【００５８】
スレーブの無線機２における制御部２１は、ペアリング接続制御部２１１とペアリング切断制御部２１２とを有し、スレーブの無線機３における制御部３１は、ペアリング接続制御部３１１とペアリング切断制御部３１２とを有する。
【００５９】
同様に、ペアリング接続制御部２１１，３１１とペアリング切断制御部２１２，３１２は、ソフトウェアモジュール（コンピュータプログラム）で構成することができる。
【００６０】
ステップS108またはS115にて、ペアリング接続指示部１１４によってスピーカマイクロホン６とペアリングするよう指示されたら、ペアリング接続制御部２１１または３１１は、無線機２または３をスピーカマイクロホン６とペアリングさせて両者を近距離無線通信によって接続するよう制御する。
【００６１】
ステップS112またはS114にて、ペアリング切断指示部１１５によってスピーカマイクロホン６とのペアリングを切断するよう指示されたら、ペアリング切断制御部２１２または３１２は、無線機２または３とスピーカマイクロホン６とのペアリングを切断するよう制御する。
【００６２】
以上説明した本実施形態の無線通信装置の構成及び動作をまとめると、次のとおりである。
【００６３】
通信品質比較部１１３は、スピーカマイクロホン６等のヒューマンインタフェース機器とペアリングしている特定の無線機が電波によって信号を受信するときの第１の通信品質情報と、他の無線機が電波によって信号を受信するときの第２の通信品質情報とを比較する。
【００６４】
ここでの電波とは、無線送受信部１２，２２，３２による広域の無線通信に用いる電波である。
【００６５】
通信品質比較部１１３によって、第１の通信品質情報が示す通信品質が所定の閾値未満であり、第２の通信品質情報が示す通信品質が第１の通信品質情報が示す通信品質よりも良好であると判定されたとする。このとき、ペアリング切断制御部１１２，２１２，３１２は、特定の無線機とヒューマンインタフェース機器とのペアリングを切断するよう制御する。
【００６６】
ペアリング接続制御部１１１，２１１，３１１は、他の無線機をヒューマンインタフェース機器とペアリングさせるよう制御する。
【００６７】
本実施形態の無線通信装置において、無線機１はマスタの無線機、無線機２，３はスレーブの無線機と設定されている。よって、ペアリング切断制御部１１２は、自発的にヒューマンインタフェース機器とのペアリングを切断するよう制御することができるが、ペアリング切断制御部２１２，３１２は、自発的にヒューマンインタフェース機器とのペアリングを切断するよう制御することはできない。
【００６８】
同様に、ペアリング接続制御部１１１は、自発的に無線機１をヒューマンインタフェース機器とペアリングさせるよう制御することができるが、ペアリング接続制御部２１１，３１１は、自発的に無線機２，３をヒューマンインタフェース機器とペアリングさせるよう制御することができない。
【００６９】
無線機１は、無線機２，３に対して、ヒューマンインタフェース機器とのペアリングを切断するよう指示するペアリング切断指示部１１５を備える。ペアリング切断制御部２１２，３１２は、ペアリング切断指示部１１５による指示に応答して、ヒューマンインタフェース機器とのペアリングを切断するよう制御する。
【００７０】
無線機１は、無線機２，３に対して、ヒューマンインタフェース機器とペアリングするよう指示するペアリング接続指示部１１４を備える。ペアリング接続制御部２１１，３１１は、ペアリング接続指示部１１４による指示に応答して、無線機２，３をヒューマンインタフェース機器とペアリングさせるよう制御する。
【００７１】
以上のように、複数の無線機のうちRSSIレベルが最大の無線機が最も使用されるべきという考えに基づき、ヒューマンインタフェース機器もRSSIレベルが最大の無線機に接続されるのが望ましい。
【００７２】
RSSIレベルの比較を容易にするためには、常に信号が存在している方がよく、待ち受け時には制御チャンネルで信号を受信しているトランキング方式であることが望ましい。しかしながら、コンベンショナル方式であっても、それぞれの無線機がチャンネルスキャンを行ってRSSIレベルを平均化することでRSSIレベルを比較することは可能である。
【００７３】
本発明は以上説明した本実施形態に限定されるものではなく、本発明の要旨を逸脱しない範囲において種々変更可能である。本実施形態においては、複数の無線機のうちの１つをマスタの無線機と設定し、他の無線機をスレーブの無線機と設定しているが、これは、複数の無線機の全体を適切に制御するための一例に過ぎない。
【符号の説明】
【００７４】
１〜３  無線機
６  スピーカマイクロホン（ヒューマンインタフェース機器）
１１，２１，３１  制御部
１１１，２１１，３１１  ペアリング接続制御部
１１２，２１２，３１２  ペアリング切断制御部
１１３  通信品質比較部
１１４  ペアリング接続指示部
１１５  ペアリング切断指示部
【図１】
2017011477.tif 000003
【図２Ａ】
2017011477.tif 000004
【図２Ｂ】
2017011477.tif 000005
【図３】
2017011477.tif 000006